【手続補正書】
【提出日】平成27年5月29日(2015.5.29)
【手続補正１】
【補正対象書類名】特許請求の範囲
【補正対象項目名】全文
【補正方法】変更
【補正の内容】
【特許請求の範囲】
【請求項１】
交流電源から供給された交流を直流に変換する第１変換手段と、
前記交流電源から供給された交流を第２負荷へ供給するための直流に変換する第２変換手段と、
前記交流電源から供給された交流を第１負荷へ供給するための直流に変換する第３変換手段と、
前記第１負荷および第２負荷への電力供給を停止するために操作され、シャットダウンを指示する指示信号を発生するメインスイッチと、
前記指示信号が入力されると、前記交流電源から前記第３変換手段への交流の供給を遮断し、前記第１負荷を停止させる第１遮断手段と、
前記第１変換手段から出力される直流電圧を供給されて動作し、前記指示信号が入力されると、前記第２負荷を停止させるためのシャットダウン処理を実行し、当該第２負荷のシャットダウン処理が完了すると、前記第２変換手段を停止させるための動作信号を出力する制御手段と、
前記第２変換手段を停止させるための前記動作信号が入力されると、前記交流電源から前記第２変換手段への交流の供給を遮断し、前記第２負荷を停止させる第２遮断手段と
を有し、
前記第１遮断手段は、前記指示信号と前記動作信号の何れかが入力されると前記交流電源から前記第３変換手段への交流の供給を遮断することを特徴とする電源装置。
【請求項２】
前記第１遮断手段は、第１電磁コイルを備えた第１リレーであり、当該第１電磁コイルの一端に前記指示信号が入力されると、前記第１リレーは前記交流電源から前記第３変換手段への交流の供給を遮断するように動作することを特徴とする請求項１に記載の電源装置。
【請求項３】
前記第１電磁コイルの他端には、第１スイッチング素子が接続されており、前記第２変換手段を停止させるための動作信号によって当該第１スイッチング素子がオフに切り替わると、前記第１リレーは、前記交流電源から前記第３変換手段への交流の供給を遮断することを特徴とする請求項２に記載の電源装置。
【請求項４】
前記指示信号は、前記第１電磁コイルの一端をローレベルにする信号であることを特徴とする請求項２または３に記載の電源装置。
【請求項５】
前記第２遮断手段は、第２電磁コイルを備えた第２リレーであり、当該第２電磁コイルの一端には前記第１変換手段からの直流の電圧が印加され、前記第２電磁コイルの他端には、第２スイッチング素子が接続されており、前記第２変換手段を停止させるための動作信号によって当該第２スイッチング素子がオフに切り替わると、当該第２リレーは、前記交流電源から前記第２変換手段への交流の供給を遮断することを特徴とする請求項１ないし４のいずれか１項に記載の電源装置。
【請求項６】
前記第２変換手段に交流を供給する２本のラインのうち一方のラインと、前記第３変換手段に交流を供給する２本のラインのうち一方のラインはともに前記第２リレーに接続されており、前記第２リレーがオフになることで、前記第２変換手段に交流を供給する２本のラインのうち一方のラインと、前記第３変換手段に交流を供給する２本のラインのうち一方のラインはともに前記交流電源から遮断されることを特徴とする請求項５に記載の電源装置。
【請求項７】
前記第１変換手段は、前記電源スイッチの状態に拘わらず交流を直流に変換し、前記第２変換手段および前記第３変換手段は、前記第１変換手段を介することなく交流を直流に変換することを特徴とする請求項１乃至６の何れか１項に記載の電源装置。
【請求項８】
前記第１変換手段が出力する直流電圧は前記第２変換手段が出力する直流電圧よりも低いことを特徴とする請求項１乃至７の何れか１項に記載の電源装置。
【請求項９】
請求項１ないし８のいずれか１項に記載の電源装置と、
前記電源装置から電力を供給されて画像を形成する画像形成部と
を有することを特徴とする画像形成装置。
【手続補正２】
【補正対象書類名】明細書
【補正対象項目名】００１５
【補正方法】変更
【補正の内容】
【００１５】
電圧Ｖｃｃ＿Ａが供給されると、制御回路１０９は動作を開始し、第二ＤＣ電源１０３を起動するためのハイレベルのシャットダウン信号Ｓ２を出力する。シャットダウン信号Ｓ２は、第一のリレー駆動トランジスタ１１８の駆動端子と、第二のリレー駆動トランジスタ１１９の駆動端子とに供給される。ハイレベルのシャットダウン信号Ｓ２が出力されているときは、第二のリレー１０５および第一のリレー１０７がそれぞれオンするように、第一のリレー駆動トランジスタ１１８と第二のリレー駆動トランジスタ１１９が動作する。一方で、主電源スイッチ検出信号Ｓ１がローレベルになると、制御回路１０９は、シャットダウン信号Ｓ２をローレベルに切り替える。主電源スイッチ検出信号Ｓ１がハイレベルからローレベルに切り替わることが電源をシャットダウンすることを指示する指示信号に相当する。シャットダウン信号Ｓ２がローレベルになると、第二のリレー１０５および第一のリレー１０７がそれぞれオフするように、第一のリレー駆動トランジスタ１１８と第二のリレー駆動トランジスタ１１９が動作する。なお、本実施例で、第一のリレー１０７は、シャットダウン信号Ｓ２がローレベルになるよりも先に主電源スイッチ検出信号Ｓ１がローレベルになることで、オフに切り替わる。
【手続補正３】
【補正対象書類名】明細書
【補正対象項目名】００２２
【補正方法】変更
【補正の内容】
【００２２】
時刻ｔ４において、主電源スイッチ１０２がオフされると、電圧Ｖｃｃ＿Ａの供給が遮断されるため、主電源スイッチ検出信号Ｓ１がローレベルになる。主電源スイッチ検出信号Ｓ１がローレベルになると、第一のリレー１０７がオフになる。よって、第二のＡＣ供給ライン１１１からの交流の供給が遮断され、時刻ｔ５において第三ＤＣ電源１０４の出力はオフとなる。このように、主電源スイッチ１０２のオフに連動して負荷駆動用の電圧Ｖｃｃ＿Ｃはゼロになる。前述したように電圧Ｖｃｃ＿Ｃは画像形成装置１００の感光体ドラム１１などの各駆動部を駆動するモータ１１４、一次帯電器１２等に高電圧を供給する高圧電源１１５、定着ユニット４０のヒータなどの負荷を駆動する電圧である。そのため、オペレーターが主電源スイッチ１０２をオフにすると、消費電力が多い負荷への電力供給は即時に遮断される。なお、この時点で第三ＤＣ電源１０４への交流の供給ラインのうち、第二のＡＣ供給ライン１１１だけが遮断されており、第一のＡＣ供給ライン１１０は遮断されていない。
【手続補正４】
【補正対象書類名】明細書
【補正対象項目名】０００６
【補正方法】変更
【補正の内容】
【０００６】
本発明は、たとえば、
交流電源から供給された交流を直流に変換する第１変換手段と、
前記交流電源から供給された交流を第２負荷へ供給するための直流に変換する第２変換手段と、
前記交流電源から供給された交流を第１負荷へ供給するための直流に変換する第３変換手段と、
前記第１負荷および第２負荷への電力供給を停止するために操作され、シャットダウンを指示する指示信号を発生するメインスイッチと、
前記指示信号が入力されると、前記交流電源から前記第３変換手段への交流の供給を遮断し、前記第１負荷を停止させる第１遮断手段と、
前記第１変換手段から出力される直流電圧を供給されて動作し、前記指示信号が入力されると、前記第２負荷を停止させるためのシャットダウン処理を実行し、当該第２負荷のシャットダウン処理が完了すると、前記第２変換手段を停止させるための動作信号を出力する制御手段と、
前記第２変換手段を停止させるための前記動作信号が入力されると、前記交流電源から前記第２変換手段への交流の供給を遮断し、前記第２負荷を停止させる第２遮断手段と
を有し、
前記第１遮断手段は、前記指示信号と前記動作信号の何れかが入力されると前記交流電源から前記第３変換手段への交流の供給を遮断することを特徴とする電源装置を提供する。